(57)【特許請求の範囲】
【請求項１】
棒状部の先端にフック部を備えたフック棒の掛止具であって、前記フック部は、掛止部としての第１部分と、第１部分と棒状部の先端を接続する第２部分と、からなり、
前記掛止具は、
第１面部と第２面部とを備え、第２面部を介して取り付けられるプレート部と、
プレート部の第１面部に突成され、フック部の第１部分が掛止する被掛止凹部を備えた第１要素と、
第１要素よりも下方に位置してプレート部の第１面部に突成した第２要素と第３要素との間に形成され、フック棒の棒状部の先端部位を受け入れる溝部と、
第１要素の下方かつ溝部の上方に位置してプレート部の第１面部に突成された被当接部と、
を備え、
掛止状態にあるフック棒の左右方向の揺動は前記第２要素及び前記第３要素によって規制され、
掛止状態にあるフック棒の上動は、フック部の第２部分が前記被当接部に当接することによって規制される、
フック棒の掛止具。
【請求項２】
前記被掛止凹部は、前記プレート部の第１面部から離間して位置しており、
前記第２要素及び前記第３要素の突出寸法は、前記被掛止凹部の真下に達する寸法であって、かつ、掛止状態にあるフック棒の軸心を超える寸法となっている、
請求項１に記載のフック棒の掛止具。
【請求項３】
フック棒が上動してフック部の第２部分が前記被当接部に当接した状態において、フック部の第１部分の少なくとも部分は、前記被掛止凹部内に位置している、
請求項１、２いずれか１項に記載のフック棒の掛止具。
【請求項４】
前記被当接部は、前記第１要素の部分である、
請求項１乃至３いずれか１項に記載のフック棒の掛止具。
【発明の詳細な説明】
【技術分野】
【０００１】
本発明は、建物開口部を開閉する開閉体（典型的には、シャッターカーテン）を手動操作するためのフック棒の掛止具に関するものである。
【背景技術】
【０００２】
手動式シャッター装置において、全開姿勢にあるシャッターカーテンを引き降ろして降下させる際に、先端にフック部を備えたフック棒を用いる場合がある。このフック棒は、不使用時には、建物開口部近傍に場所を決めて格納しておくことが望ましい。そうすることで、フック棒の紛失を防止し、また、誰でもフック棒を用いて引き降ろし操作を行うことができる。
【０００３】
特許文献１には、不使用時にフック棒の格納を目的としたフック棒の止め具が記載されており、この止め具は、壁面等への取り付け板部と、該取り付け板部と平行に前記フックを掛止すべく取り付け板部に設けられたフック部と、該フック部に前記フックが係止された際にフックの曲げ部分の外側面が当接してフック部からフックが抜け落ちることを防止すべく、前記取り付け板部と一体に、前記フック部の少なくとも一方側の側方に設けられたストッパ部と、前記取り付け板部の前記フック部の下部側に設けられた小フック部と、からなる。
【０００４】
特許文献１において、フック棒を止め具に掛止させた状態（特許文献１の図３参照）では、フック部がストッパ部に接触し、フック部の基端部位が小フック部に接触しており、フック棒は緊密に止め具に掛止されており、フック棒を引っ掛けたり、取り外したりする際の作業性が悪くなるおそれがある。一方、作業性を向上させるために、フック部とストッパ部、小フック部との間に所望のクリアランスを設けると、フック棒が左右に揺れて安定性が悪くなり、フック部の掛止状態が外れて、フック棒が落下してしまうおそれがある。
【０００５】
また、小フック部はフック棒の揺れ止めとしても作用すると記載されているが、小フック部は、鍵や使用説明書等を引っ掛けておくことを主目的としており、フック棒が前方に傾きながら左右に揺れた場合には、小フック部は揺れ止めとして機能しないおそれがある。また、掛止状態にあるフック棒に下方から突き上げるような力が作用すると、フック部の掛止状態が外れて、フック棒が落下してしまうおそれがある。
【特許文献１】特開２００４−１９０２４６
【発明の開示】
【発明が解決しようとする課題】
【０００６】
本発明は、簡単な構成でありながら、吊り下げたフック棒が容易に外れて落下することがないようなフック棒の掛止具を提供することを目的とするものである。
【課題を解決するための手段】
【０００７】
本発明が採用した技術手段は、
棒状部の先端にフック部を備えたフック棒の掛止具であって、前記フック部は、掛止部としての第１部分と、第１部分と棒状部の先端を接続する第２部分と、からなり、
前記掛止具は、
第１面部と第２面部とを備え、第２面部を介して取り付けられるプレート部と、
プレート部の第１面部に突成され、フック部の第１部分が掛止する被掛止凹部を備えた第１要素と、
第１要素よりも下方に位置してプレート部の第１面部に突成した第２要素と第３要素との間に形成され、フック棒の棒状部の先端部位を受け入れる溝部と、
第１要素の下方かつ溝部の上方に位置してプレート部の第１面部に突成された被当接部と、
を備え、
掛止状態にあるフック棒の左右方向の揺動は前記第２要素及び前記第３要素によって規制され、
掛止状態にあるフック棒の上動は、フック部の第２部分が前記被当接部に当接することによって規制される、
フック棒の掛止具、である。
【０００８】
１つの態様では、前記被掛止凹部は、前記プレート部の第１面部から離間して位置しており、
前記第２要素及び前記第３要素の突出寸法は、前記被掛止凹部の真下に達する寸法となっている。
こうすることで、前記第２要素及び前記第３要素は、当該掛止具に掛止されたフック棒の軸心に達することになり、掛止状態にあるフック棒の左右方向の揺動を良好に規制することができる。
【０００９】
１つの態様では、フック棒が上動してフック部の第２部分が前記被当接部に当接した状態において、フック部の第１部分の少なくとも部分は、前記被掛止凹部内に位置している。
後述する実施形態では、被掛止凹部内にフック部の第１部分が水平姿勢で掛止されており、フック棒が上動した状態において、フック部の第１部分の下側部位が、被掛止凹部の前片の上縁よりも下方に位置している。
【００１０】
１つの態様では、前記被当接部は、前記第１要素の部分である。
後述する実施形態では、第１要素の底面の部分が被当接部となっている。
【発明の効果】
【００１１】
本発明によれば、掛止状態にあるフック棒の棒状部の先端部位が、溝部内に受け入れられて拘束されるので、フック棒の左右方向の揺動が規制され、フック棒が抜け落ちてしまうようなことがない。
【００１２】
本発明によれば、掛止状態にあるフック棒のフック部の第２部分が、被当接部の下方で当該被当接部に離間して位置しており、フック棒が上動すると、フック部の第２部分が被当接部に当接してフック棒の上動は、フック部の第２部分が前記被当接部に当接することによって規制され、フック棒が抜け落ちてしまうようなことがない。
【図面の簡単な説明】
【００１３】
【図１】全閉姿勢にあるシャッター装置の正面図であり、ガイドレールにはフック棒が掛止されている。
【図２】全開姿勢にあるシャッター装置の側面図であり、ガイドレールにはフック棒が掛止されている。
【図３】フック棒を示す図である。
【図４】フック棒の掛止具を示す図である。
【図５】フック棒の掛止具の縦断面図である。
【図６】左図は、図１の部分拡大図、右図は、図２の部分拡大図であり、掛止具に対するフック棒の掛止状態を示している。
【図７】掛止具に対するフック棒の掛止状態を示す図である。
【図８】図７の状態からフック棒が上動した状態を示す図である。
【発明を実施するための形態】
【００１４】
本発明の実施形態を図面に基づいて説明する。図１は、建物開口部を開閉する開閉体として例示する手動式シャッター装置の全閉状態を示す正面図であり、図２は、同手動式シャッターの全開状態を示す側面図である。手動式シャッター装置は、建物開口部を開閉するシャッターカーテン１を備え、シャッターカーテン１の幅方向両端部が、建物開口部の幅方向両端に立設された左右のガイドレール２の溝部に案内されて昇降することで、建物開口部を開閉する。
【００１５】
シャッターカーテン１の上端は、建物開口部の上方に配置されたシャッターケース１０内に設けた巻取シャフト（図示せず）に連結されており、巻取シャフトの正逆回転によってシャッターカーテン１が昇降して建物開口部を開閉する。巻取シャフトは、バランススプリングによってシャッターカーテン１を巻き取る方向に付勢されており、全開姿勢にあるシャッターカーテン１に、当該シャッターカーテン１を下降させる力を作用させて降下を始動させると、シャッターカーテン１が自重で降下して床面ＦＬに着床して全閉姿勢となり、全閉姿勢にあるシャッターカーテン１に、当該シャッターカーテン１を上昇させる力を作用させて上昇を始動させると、バランススプリングの付勢力によってシャッターカーテン１が巻き取られながら上昇して全開姿勢となる。
【００１６】
シャッターカーテン１が巻取シャフトに巻き取られて全開姿勢にある時には、シャッターカーテン１の下端は天井ＣＬに近い位置にあるため、一般的な開口高の場合、シャッターカーテン下端は、手の届かない高さに位置することになる。そこで、巻取シャフトに巻装されて全開姿勢にあるシャッターカーテン１の下端にフック棒３を掛止し、フック棒３を用いてシャッターカーテン１を引き降ろすことが行われる。なお、本発明に係るフック棒３が用いられる場面は、シャッターカーテン１の引き降ろしに限定されるものではなく、シャッター以外の扉体の開閉に用いてもよい。
【００１７】
図３に示すように、フック棒３は、長尺状の棒状部３０と、棒状部３０の先端側に設けたフック部３１と、棒状部３０の基端側に設けた取手３２と、からなる。フック部３１は、第１部分３１０と、第２部分３１１と、第３部分３１２と、からなり、第１部分３１０は棒状部３０の長さ方向に対して直角方向に延びる掛止部を形成しており、第３部分３１２は棒状部３０の長さ方向に延びており、第２部分３１１は、第１部分３１０と第３部分３１２とを接続するように延びている。第２部分３１１は、棒状部３０の長さ方向に対して傾斜状に延びており、第１部分３１０と第２部分３１１の接続部は湾曲状となっており、第１部分３１０と第２部分３１１とで形成する角度は９０度未満である。
【００１８】
棒状部３０の先端部位は小径部３３となっており、小径部３３には、フック部３１の第３部分３１２が挿入されており、すなわち、第３部分３１２は、フック部３１と棒状部３０との連結部となっている。棒状部３０の先端部位（小径部３３）には、フック部３１の第１部分３１０が延びる方向に直交して突部３４が突成されており、両側の突部３４から棒状部３０の直径よりも大きい幅広部が形成されている。
【００１９】
本実施形態では、棒状部３０は断面円形状であるが、棒状部の断面形状は限定されず、例えば、平板状のシャフトであってもよい。本実施形態では、別部材から形成された棒状部３０とフック部３１を連結してフック棒３を形成しているが、フック部３１と棒状部３０を一体形成してもよい。
【００２０】
建物開口部近傍には、不使用時にフック棒３を引っ掛けて収納するための掛止具４が設けてある。本実施形態では、図１、図２、図６に示すように、掛止具４は、左右に立設したガイドレール２の一方のガイドレール２の見付面２０に設けてある。なお、掛止具４を固定する部位は、ガイドレール２の見付面２０に限定されるものではなく、建物開口部の近傍の構造体において、外部に露出している面であれば、ガイドレール２の側面、ガイドレール下地材、壁面等に設けてもよい。なお、本明細書では、「構造体」にはガイドレールが含まれるものとして扱う。
【００２１】
図４に示すように、掛止具４は、縦長方形状のプレート部４０を備えており、プレート部４０は、第１面部４００と、第２面部４０１と、上縁４０２と、下縁４０３と、左右の側縁４０４と、から規定されている。プレート部４０には、幅方向中央で上下に離間して取付孔４５が形成されており、掛止具４は、第２面部４０１をガイドレール２の見付面２０に当てて、取付孔４５に螺子を螺入することで、見付面２０に固定される。図６に示すように、掛止具４のプレート部４０の幅寸法は、見付面２０の幅寸法よりも小さい寸法となっている。なお、掛止具４の固定手段は螺子を用いるものに限定されず、例えば、掛止具４の第２面部４０１を、両面接着テープを用いて見付面２０に固定してもよい。
【００２２】
プレート部４０の第１面部４００には、幅方向中央部位かつ高さ方向ほぼ中央に位置して、第１要素４１が突成されている。プレート部４０の第１面部４００の下方部位には、幅方向中央部位に位置して第２要素４２、幅方向左右に位置して第３要素４３、がそれぞれ突成されている。本実施形態では、プレート部４０の第１面部４００からの突出寸法において、第１要素４１の突出寸法が、第２要素４２及び第３要素４３の突出寸法よりも大きくなっている。本実施形態では、掛止具４は樹脂から一体成型されているが、複数の部材を組み立てて形成してもよい。また、掛止具４の材質は樹脂に限定されず、例えば金属製であってもよい。
【００２３】
第１要素４１は、垂直に立ち上がる前片４１０と、凹状面４１１と、からなる被掛止凹部を有しており、被掛止凹部の凹状面４１１は、前方（第１面部４００から離間する方向）に向かって深くなる弧状の湾曲面である。被掛止凹部は、プレート部４０の第１面部４００の幅方向中央部位かつ高さ方向中央より上側寄りに位置して形成されている。第１要素４１の被掛止凹部に、フック棒３のフック部３１の第１部分３１０が掛止するようになっている。
【００２４】
第１要素４１は、前面４１２、左右の側面４１３、底面４１４、を有しており、上面に上記被掛止凹部が形成されている。前面４１２は、前片４１０からさらに下方に垂直状に延びており、側面４１３の上縁は凹状面４１１の断面形状となっており、側面４１３は、凹状面４１１から下方に向かって垂直状に延びており、底面４１４は、下向き膨出状の湾曲面となっている。
【００２５】
第２要素４２の左右両側に離間して各第３要素４３が形成されており、第２要素４２と第３要素４３との間に、フック棒３の棒状部３０の先端部位を受け入れて拘束する溝部Ｇが形成されている。より具体的には、第２要素４２の左右の側面４２０と、各第３要素４３の内側の側面４３０とは離間対向しており、側面４２０と側面４３０との間に溝部Ｇが形成されている。図示の態様では、側面４２０、側面４３０は垂直面である。溝部Ｇの幅寸法は、フック棒３の先端部位（小径部３３）の直径よりも僅かに大きい寸法となっており、フック棒３の先端部位を良好に受け入れると共に、フック棒３の左右方向の動きを規制するようになっている。
【００２６】
第１要素４１の被掛止凹部（凹状面４１１）の下側で、かつ、第２要素の側面４２０、第３要素の側面４３０との間に形成された溝部Ｇの上側に位置して、掛止状態にあるフック棒３の上動を規制する被当接部４４が形成されている。本実施形態では、第１要素４１の側面４１３の下端から底面４１４の左右端部にかけての部位が被当接部４４となっている。なお、被当接部４４を、第１要素４１とは別体で第１要素４１の下方に設けられた第４要素（図示せず）によって形成してもよい。
【００２７】
本実施形態では、２つの取付孔４５は、第１要素４１の上下に位置してプレート部４０に形成されている。より具体的には、上側の取付孔４５は、プレート部４０の上縁４０２と第１要素４１の間に位置しており、下側の取付孔４５は、第１要素４１と第２要素４２の間に位置している。
【００２８】
フック棒３を掛止具４に掛止させた状態を図６、図７に示す。掛止状態において、フック棒３のフック部３１の第１部分３１０が、掛止具４の第１要素４１の被掛止凹部に受け入れられている。被掛止凹部の深さは、フック部３１の第１部分３１０の直径よりも大きく、前片４１０の上縁は、水平姿勢にある第１部分３１０の上縁よりも上方に位置している。フック棒３のフック部３１の第１部分３１０が掛止する第１要素４１の被掛止凹部（凹状面４１１）は、プレート部４０の第１面部４００に対して持ち出した位置にあり、フック棒３は、垂直状の第１面部４００に対して離間して吊り下げられる。
【００２９】
プレート部４０において、第１要素４１の左右にはいかなる要素も設けてられていない。具体的には、第３要素４３は、第１要素４１の高さまでには延びておらず（第３要素４３の上端は、第１要素４１の底面４１４よりも下方に位置している）、フック部３１（第１部分３１０、第２部分３１１）が第３要素４３と干渉することがない。
【００３０】
フック棒３を掛止具４に引っ掛ける場合には、フック棒３のフック部３１の第１部分３１０を掛止具４の被掛止凹部に掛止させて、フック棒３の棒状部３０の先端部位を溝部Ｇに嵌め込めばよいので、装着が容易である。
【００３１】
フック棒３の棒状部３０の先端部位（小径部３３）が、第２要素４２と第３要素４３との間に形成された溝部Ｇに受け入れられており、フック棒３の棒状部３０の先端部位が拘束されている。拘束されている先端部位において、幅広部の縁部（一方の突部３４）が第１面部４００に当接ないし近接しており、フック部３１は、第１面部４００から離間した位置で垂下しており、フック棒３の軸心Ｃは第１面部４００から離間している。第１面部４００からの第２要素４２、第３要素４３の突出寸法は、フック棒３の軸心Ｃを越える寸法を有しており、フック棒３の棒状部３０の先端部位（小径部３３）を的確に拘束して、フック棒３の左右の揺れを規制するようになっている。
【００３２】
フック棒３のフック部３１の第１部分３１０を掛止具４の第１要素４１の被掛止凹部に掛止し、フック棒３を吊り下げた状態において、フック部３１の第２部分３１１の内側部位３１１０（フック部３１の付け根部位）は、第１要素４１の下方部位に形成した被当接部４４の下方にクリアランスを介して位置している。図７の状態に対して、フック棒３を上動させる力が作用すると、フック部３１の第２部分３１１の内側部位３１１０は、被当接部４４に当接して、さらなる上動が規制される。
【００３３】
図８に示すように、フック部３１の第２部分３１１の内側部位３１１０が被当接部４４に当接した状態では、水平姿勢にある第１部分３１０の上縁は、前片４１０の上縁よりも上側に位置するものの、第１部分３１０の下半部は前片４１０の上縁よりも下方に位置しており、フック部３１の第１部分３１０が被掛止凹部から外れてフック棒３が落下するようなことがない。
【００３４】
図４に示すように、掛止具４の各要素は左右対称となっている。具体的には、第１要素４１、第２要素４２は、プレート部４０の幅方向中央に形成されており、左右対称の形状を備えている。第３要素４３、溝部Ｇは、プレート部４０に左右対称に形成されている。図６〜図８では、掛止具４の右半部位を用いてフック棒３を掛止しているが、掛止具４の左半部位を用いて逆向きのフック棒３を掛止できることが当業者に理解される。
【符号の説明】
【００３５】
１  シャッターカーテン
２  ガイドレール
２０  ガイドレール見付面
３  フック棒
３０  棒状部
３１  フック部
３１０  第１部分
３１１  第２部分
４  掛止具
４０  プレート部
４００  第１面部
４０１  第２面部
４１  第１要素
４１０  前片
４１１  凹状面
４２  第２要素
４３  第３要素
４４  被当接部
Ｇ  溝部
【図１】
0006669486.tif 000002
【図２】
0006669486.tif 000003
【図３】
0006669486.tif 000004
【図４】
0006669486.tif 000005
【図５】
0006669486.tif 000006
【図６】
0006669486.tif 000007
【図７】
0006669486.tif 000008
【図８】
0006669486.tif 000009